(57)【要約】【課題】乾燥室の全体に温風を行き渡らせることで乾燥効率を高めると共に、一群のタイルの下にタイル連結用シートが配されている場合でも効果的に乾燥することができるタイルシートの乾燥装置を提供する。【解決手段】本発明のタイルシートの乾燥装置は、タイルシート載置台２を搬送可能に配する上部乾燥室６と、上部乾燥室６の下方に設けられた下部乾燥室７とを備え、温風流通手段５による温風が温風流通孔８を備えた区画板９を介して上部乾燥室６および下部乾燥室７に流通可能に構成され、乾燥室全体に温風が行き渡ることで乾燥効率を高めると共に、一群のタイルの下にタイル連結用シートが配されている場合でも効果的に乾燥することができる。【選択図】図２
2012251734.tif 000002
【特許請求の範囲】
【請求項１】
施工状態と同じ配列に整列された複数枚のタイルにタイル連結用シートを貼着したタイルシートの乾燥装置であって、前記タイルシートを載置したタイルシート載置台を搬送する搬送手段と、前記タイルシート載置台の搬送方向に沿って構成された乾燥室と、該乾燥室に温風を流通させるための温風流通手段とを有し、前記乾燥室は、前記タイルシート載置台を搬送可能に配する上部乾燥室と、該上部乾燥室の下方に設けられた下部乾燥室とを備え、前記上部乾燥室と前記下部乾燥室は、温風流通孔を備えた区画板によって区画され、前記温風流通手段による温風は、前記区画板を介して前記上部乾燥室および前記下部乾燥室に流通可能に構成されていることを特徴とするタイルシートの乾燥装置。
【請求項２】
前記温風流通手段による温風は、前記下部乾燥室から前記区画板を介して前記上部乾燥室に向かって流通するように構成されている請求項１に記載のタイルシートの乾燥装置。
【請求項３】
前記タイルシート載置台には、温風流通用貫通孔が設けられている請求項１または２に記載のタイルシートの乾燥装置。
【請求項４】
前記区画板に設けられた温風流通孔は、搬送方向の下流側に向ってより高密度に形成されている請求項１ないし３のいずれかに記載のタイルシートの乾燥装置。
【発明の詳細な説明】
【技術分野】
【０００１】
本発明は、施工状態と同じ配列に整列させた複数枚のタイルの裏面側にタイル連結用シートを貼着したタイルシートの乾燥装置に関する。
【背景技術】
【０００２】
従来のタイルシートの乾燥装置としては、本願出願人が提案したタイル連結用シートの乾燥装置（特開平１０−２８１６４４号公報）がある。
この乾燥装置は、タイル整列用パレットに載置した一群のタイルに糊で貼着したタイル連結用シートを乾燥する装置であり、タイル整列用パレットを搬送する無端チェーンコンベアの上方に走行方向に沿ってダクトを配置し、ダクトに温風を送風してダクトの底面に形成した通孔からタイルシートに向けて温風を吹き付けてタイルシートを乾燥させるよう構成したものである。
【先行技術文献】
【特許文献】
【０００３】
【特許文献１】特開平１０−２８１６４４号公報
【発明の概要】
【発明が解決しようとする課題】
【０００４】
しかし、この乾燥装置は、上方からタイルシートに向けて温風を吹き付ける構造であるため、乾燥室全体に温風が行き渡らないことがあり、その分乾燥効率が低かった。また、タイルシートの製造工程上、一群のタイルの下にタイル連結用シートが配される場合があり、上方から吹き付けられる温風では、タイルとタイル連結用シートとの接合部に温風が行き渡らず効果的に乾燥することができなかった。
【０００５】
そこで、本発明の課題は、乾燥室の全体に温風を行き渡らせることで乾燥効率を高めると共に、一群のタイルの下にタイル連結用シートが配されている場合でも効果的に乾燥することができるタイルシートの乾燥装置を提供することにある。
【課題を解決するための手段】
【０００６】
上記課題を解決するものは、施工状態と同じ配列に整列された複数枚のタイルにタイル連結用シートを貼着したタイルシートの乾燥装置であって、前記タイルシートを載置したタイルシート載置台を搬送する搬送手段と、前記タイルシート載置台の搬送方向に沿って構成された乾燥室と、該乾燥室に温風を流通させるための温風流通手段とを有し、前記乾燥室は、前記タイルシート載置台を搬送可能に配する上部乾燥室と、該上部乾燥室の下方に設けられた下部乾燥室とを備え、前記上部乾燥室と前記下部乾燥室は、温風流通孔を備えた区画板によって区画され、前記温風流通手段による温風は、前記区画板を介して前記上部乾燥室および前記下部乾燥室に流通可能に構成されていることを特徴とするタイルシートの乾燥装置である。
【０００７】
前記温風流通手段による温風は、前記下部乾燥室から前記区画板を介して前記上部乾燥室に向かって流通するように構成されていることが好ましい。前記タイルシート載置台には温風流通用貫通孔が設けられていることが好ましい。前記区画板に設けられた温風流通孔は、搬送方向の下流側に向ってより高密度に形成されていることが好ましい。
【発明の効果】
【０００８】
請求項１に記載の発明によれば、乾燥室の全体に温風を行き渡らせることで乾燥効率を高めると共に、一群のタイルの下にタイル連結用シートが配されている場合でも効果的に乾燥することができる。
請求項２に記載の発明によれば、タイルシートの下側から温風が吹き付けることにより、一群のタイルの下にタイル連結用シートが配されている場合により効果的にタイルシートを乾燥することができる。
請求項３に記載の発明によれば、タイルシート載置台に設けられた温風流通用貫通孔から温風が吹き抜けることにより、一群のタイルの下にタイル連結用シートが配されている場合により効果的にタイルシートを乾燥することができる。
請求項４に記載の発明によれば、温風流通孔が設けられた区画板の下流側まで温風を行き渡らせることができ、より乾燥効率を高めることができる。
【図面の簡単な説明】
【０００９】
【図１】本発明のタイルシートの乾燥装置の一実施例の平面概略図であり、上部乾燥室を省略した説明図である。
【図２】図１に示したタイルシートの乾燥装置の左側面概略図である。
【図３】図１に示したタイルシートの乾燥装置の乾燥室を説明するための拡大図である。
【図４】図１に示したタイルシートの乾燥装置で搬送されるタイルシート載置台の平面図である。
【発明を実施するための形態】
【００１０】
本発明では、タイルシート載置台２を搬送可能に配する上部乾燥室６と、上部乾燥室６の下方に設けられた下部乾燥室７とを備え、温風流通手段５による温風が温風流通孔８を備えた区画板９を介して上部乾燥室６および下部乾燥室７に流通可能に構成され、乾燥室全体に温風が行き渡ることで、乾燥効率を高めると共に、一群のタイルの下にタイル連結用シートが配されている場合でも効果的に乾燥することができるタイルシートの乾燥装置１を実現した。
【実施例１】
【００１１】
以下、本発明のタイルシートの乾燥装置の一実施例について図１ないし図４を用いて説明する。
この実施例のタイルシートの乾燥装置１は、図１または図２に示すように、施工状態と同じ配列に整列された複数枚のタイルにタイル連結用シートを貼着したタイルシート３０の乾燥装置であって、タイルシート３０を載置したタイルシート載置台２を搬送する搬送手段３と、タイルシート載置台２の搬送方向に沿って構成された乾燥室４と、乾燥室４に温風を流通させるための温風流通手段５とを有し、乾燥室４は、タイルシート載置台２を搬送可能に配する上部乾燥室６と、上部乾燥室６の下方に設けられた下部乾燥室７とを備え、上部乾燥室６と下部乾燥室７は、温風流通孔８を備えた区画板９によって区画され、温風流通手段５による温風は、区画板９を介して上部乾燥室６および下部乾燥室７に流通可能に構成されている。以下、各構成について順次詳述する。
【００１２】
このタイルシートの乾燥装置１で乾燥されるタイルシート３０は、タイル整列台（図示せず）上に施工状態と同じ配列に整列された複数枚のタイルにタイル連結用シート（タイル連結用ネットを含む。）を貼着したユニットタイルである。
【００１３】
タイルシート３０は、図１に示すように、タイルシートの乾燥装置１の搬送方向の上流側（図１中左側）から下流側（図１中左側）に向かって、タイルシート載置台２上に載置された状態で順次搬送され、その間に設けられた乾燥室４にて乾燥される。
【００１４】
搬送手段３は、タイルシート３０を載置したタイルシート載置台２を搬送するためのものであり、無端チェーンコンベアにて構成されている。具体的には、搬送手段３は、図３に示すように、基台１０の上方および基台１０内に環状に掛け渡された無端チェーンがモーター（図示しない）によって時計回りに回転することにより、その上部に配されたタイルシート３０を載置させたタイルシート載置台２を上流側（図１中左側）から下流側（図１中左側）に向かって搬送する。
【００１５】
搬送手段３は、図１に示すように、８本の無端チェーンがそれぞれ搬送方向に沿って設けられ、図２に示すように、２本で対となる無端チェーンの上方毎にタイルシート３０を載置したタイルシート載置台２がそれぞれ載置され、この状態で、搬送方向に直交する方向に４台並べられたタイルシート載置台２が順次設定速度で搬送方向に向かって搬送されるように構成されている。
【００１６】
乾燥室４は、温風を流通させてタイルシート３０を乾燥させるための部位であり、図２または図３に示すように、基台１０上に設けられている。この乾燥室４は、図１では区画板９の温風流通孔８の配列を示すために上部乾燥室６部分が省略されているが、搬送方向の上流側（図中左側）から下流側（図中右側）のほぼ全域に渡って形成されている。
【００１７】
上部乾燥室６は、図３に示すように、乾燥室４の上部に設けられており、区画板９から上方に離間した位置にて搬送手段３によって水平方向に支持されたタイルシート載置台２が搬送可能に配されている。
【００１８】
下部乾燥室７は、図３に示すように、上部乾燥室６の下方に設けられており、この下部乾燥室７は、上流側（図１中送風機１２付近）において下部乾燥室７の下方に設けられた吹き込み部１４と連通している。
【００１９】
上部乾燥室６と下部乾燥室７は、図１に示した温風流通孔８を備えた区画板９によって上下に区画されており、温風流通手段５による温風は、区画板９を介して上部乾燥室６および下部乾燥室７間に流通可能に構成されている。
【００２０】
温風流通手段５は、乾燥室４に温風を流通させるためのものであり、熱風発生炉１１と、送風機１２と、第１ダクト１３、第１ダクト１３と連通し下部乾燥室７の下方に設けられた吹き込み部１４と、上部乾燥室６と戻り口１５を介して連通した第２ダクト１６から構成されている。
【００２１】
そして、熱風発生炉１１で加熱された温風は、送風機１２により乾燥装置内を回流するように構成されている。具体的には、熱風発生炉１１で加熱された温風は、図１または図２に示すように、送風機１２、第１ダクト１３、吹き込み部１４、下部乾燥室７、上部乾燥室６、戻り口１５および第２ダクト１６を経て熱風発生炉１１に戻り、これを繰り返して回流するように構成されている。
【００２２】
下部乾燥室７に流入した温風は、区画板９に設けられた温風流通孔８を介して上部乾燥室６に流入するように構成されている。このように、下部乾燥室７から上部乾燥室６に温風が流入することにより、タイルシート載置台２を搬送可能に配した上部乾燥室６全体に温風が行き渡り、乾燥効率を高めて、より確実にタイルシート３０を乾燥させることができる。また、タイルシート３０の下側から温風が吹き付けられるため、一群のタイルの下にタイル連結用シートが配されている場合にはより効果的にタイルシートを乾燥させることができる。
【００２３】
区画板９に設けられた温風流通孔８は、図１に示すように、搬送方向の下流側（図１中右側）に向ってより高密度に形成されている。具体的には、温風流通孔８は搬送方向に直交する方向に一列１２個設けられており、この列が搬送方向の下流側（図１中右側）に向って多数列構成され、搬送方向の下流側に向かって徐々に列間が小さく形成されることにより、区画板９に設けられた温風流通孔８が、搬送方向の下流側（図１中右側）に向ってより高密度となるよう構成されている。これにより、温風流通孔８が設けられた部位より上流側に設けられた吹き込み部１４から下部乾燥室７に流入した温風は、温風流通孔８が高密度に形成された下流側からより多く上部乾燥室６に流入するため、区画板の下流側まで温風を行き渡らせることができ、より乾燥効率および乾燥確実性を高めることができる。
【００２４】
また、この実施例のタイルシート載置台２はフッ素樹脂コーティング加工板にて形成されており、このフッ素樹脂コーティング加工板には、図４に示すように、多数の温風流通用貫通孔２０が設けられている。これにより、タイルシート載置台２に設けられた温風流通用貫通孔２０から上方に向かって温風が吹き抜けるため、一群のタイルの下にタイル連結用シートが配されている場合により効果的にタイルシートを乾燥させることができる。
【００２５】
なお、この実施例のタイルシートの乾燥装置１は、下部乾燥室７から上部乾燥室６に向かって温風が流入するように構成されているが、上部乾燥室から下部乾燥室に向かって温風が流入するように構成されたものも本発明の範疇に包含される。この構造によれば、一群のタイルの上にタイル連結用シートが配されている場合などに、より効果的にタイルシートを乾燥させることができる。
【符号の説明】
【００２６】
１    タイルシートの乾燥装置
２    タイルシート載置台
３    搬送手段
４    乾燥室
５    温風流通手段
６    上部乾燥室
７    下部乾燥室
８    温風流通孔
９    区画板
１０  基台
１１  熱風発生炉
１２  送風機
１３  第１ダクト
１４  吹き込み部
１５  戻り口
１６  第２ダクト
２０  温風流通用貫通孔
３０  タイルシート
【図１】
2012251734.tif 000003
【図２】
2012251734.tif 000004
【図３】
2012251734.tif 000005
【図４】
2012251734.tif 000006